(57)【特許請求の範囲】
【請求項１】
天井及び壁のいずれかの構造物に配置されるセンサ装置であって、
前記構造物との間に第一開口部を形成するカバー部材と、
受光面を有し、前記構造物と前記カバー部材との間に位置する検知部であって、前記第一開口部を通って前記受光面に入る光の明るさを、前記天井及び前記壁の少なくとも一方の明るさとして検知する検知部と、
前記天井及び前記壁の少なくとも一方を照明する照明装置を、検知された明るさに応じて調光するための調光信号を生成する制御部と、
生成された調光信号を前記照明装置に送信する送信部とを備える
センサ装置。
【請求項２】
前記カバー部材は、前記受光面と対向配置される
請求項１に記載のセンサ装置。
【請求項３】
さらに、前記第一開口部の開口面積を調整するための調整機構を備える
請求項２に記載のセンサ装置。
【請求項４】
前記カバー部材の前記受光面と対向する面には、光拡散材が配置されている
請求項２または３に記載のセンサ装置。
【請求項５】
前記カバー部材には、第二開口部が設けられ、
前記センサ装置は、さらに、前記第二開口部の開口面積を調整するための調整機構を備える
請求項２〜４のいずれか１項に記載のセンサ装置。
【請求項６】
前記カバー部材には、貫通孔が設けられ、
前記貫通孔は、光の透過率を調整可能な光学部材で塞がれている
請求項２〜４のいずれか１項に記載のセンサ装置。
【請求項７】
前記制御部は、さらに、前記天井及び前記壁によって囲まれた空間の外部から当該空間に光を取り入れるための窓装置であって光の透過率の制御が可能な窓装置の、前記光の透過率を制御するための制御信号を、検知された明るさに基づいて生成し、
前記送信部は、さらに、生成された制御信号を前記窓装置に送信する
請求項１〜６のいずれか１項に記載のセンサ装置。
【請求項８】
前記制御部は、さらに、前記天井及び前記壁によって囲まれた空間の外部から当該空間に光を取り入れるための窓装置であって光の配光角の制御が可能な窓装置の、前記光の配光角を制御するための制御信号を、検知された明るさに基づいて生成し、
前記送信部は、さらに、生成された制御信号を前記窓装置に送信する
請求項１〜６のいずれか１項に記載のセンサ装置。
【請求項９】
請求項７または８に記載のセンサ装置と、
前記照明装置と、
前記窓装置とを備える
照明システム。
【発明の詳細な説明】
【技術分野】
【０００１】
本発明は、センサ装置、及び、これを備える照明システムに関する。
【背景技術】
【０００２】
従来、照度センサを備える照明システムが知られている。例えば、特許文献１には、照度センサの下方の明るさを正確に検知し、その検知結果に基づいて照明器具の照度を正確に調光する照明システムが開始されている。
【先行技術文献】
【特許文献】
【０００３】
【特許文献１】特開平１１−１１８５９９号公報
【発明の概要】
【発明が解決しようとする課題】
【０００４】
天井に配置された照度センサは、室内の床面または机上面など、照度センサの下方の明るさを検知することが一般的である。しかしながら、空間の明るさは、床面（または机上面）の明るさだけで決まるものではない。このため、例えば、照明器具（照明装置）が床面以外の明るさに基づいて調光されることが望まれる場合がある。【０００５】
本発明は、照明装置を床面以外の明るさに基づいて調光することができるセンサ装置、及び、これを備える照明システムを提供する。
【課題を解決するための手段】
【０００６】
本発明の一態様に係るセンサ装置は、天井及び壁のいずれかの構造物に配置されるセンサ装置であって、前記天井及び前記壁の少なくとも一方の明るさを検知する検知部と、前記天井及び前記壁の少なくとも一方を照明する照明装置を、検知された明るさに応じて調光するための調光信号を生成する制御部と、生成された調光信号を前記照明装置に送信する送信部とを備える。【０００７】
本発明の一態様に係る照明システムは、前記センサ装置と、前記照明装置と、前記窓装置とを備える。
【発明の効果】
【０００８】
本発明のセンサ装置、及び、照明システムは、照明装置を床面以外の明るさに基づいて調光することができる。
【図面の簡単な説明】
【０００９】
【図１】図１は、実施の形態１に係る照明システムの概略図である。
【図２】図２は、実施の形態１に係る照明システムの機能構成を示すブロック図である。
【図３】図３は、実施の形態１に係るセンサ装置の内部構造を示す図である。
【図４】図４は、外郭筐体の側部に設けられた開口部の大きさを調整するための調整機構を上方から見た第一の斜視図である。
【図５】図５は、外郭筐体の側部に設けられた開口部の大きさを調整するための調整機構を上方から見た第二の斜視図である。
【図６】図６は、実施の形態２に係るセンサ装置の内部構造を示す図である。
【図７】図７は、カバー部材に設けられた第二開口部の開口面積を調整するための調整機構を下方から見た第一の斜視図である。
【図８】図８は、カバー部材に設けられた第二開口部の開口面積を調整するための調整機構を下方から見た第二の斜視図である。
【図９】図９は、実施の形態３の第一実施例を説明するための斜視図である。
【図１０】図１０は、実施の形態３の第一実施例を説明するための断面図である。
【図１１】図１１は、実施の形態３の第二実施例を説明するための分解斜視図である。
【図１２】図１２は、実施の形態３の第二実施例を説明するための断面図である。
【図１３】図１３は、実施の形態３の第三実施例を説明するための分解斜視図である。
【図１４】図１４は、実施の形態３の第三実施例を説明するための断面図である。
【図１５】図１５は、実施の形態３の第四実施例を説明するための分解斜視図である。
【図１６】図１６は、実施の形態３の第四実施例を説明するための断面図である。
【図１７】図１７は、実施の形態３の第二実施例と実施の形態１の調整機構と実施の形態２の調整機構との組み合わせを説明するための図である。
【発明を実施するための形態】
【００１０】
以下、実施の形態について、図面を参照しながら説明する。なお、以下で説明する実施の形態は、いずれも包括的または具体的な例を示すものである。以下の実施の形態で示される数値、形状、材料、構成要素、構成要素の配置位置及び接続形態、ステップ、ステップの順序などは、一例であり、本発明を限定する主旨ではない。また、以下の実施の形態における構成要素のうち、最上位概念を示す独立請求項に記載されていない構成要素については、任意の構成要素として説明される。
【００１１】
なお、各図は模式図であり、必ずしも厳密に図示されたものではない。また、各図において、実質的に同一の構成に対しては同一の符号を付し、重複する説明は省略または簡略化される場合がある。
【００１２】
以下の実施の形態においては、天井側を上、床面側を下と表現する。また、以下の実施の形態において、「明るさ」とは、例えば、照度を意味する。また、以下の実施の形態において「光」とは、例えば、可視光を意味する。
【００１３】
（実施の形態１）
［照明システムの構成］
まず、実施の形態１に係る照明システムの構成について説明する。図１は、実施の形態１に係る照明システムの概略図である。図２は、実施の形態１に係る照明システムの機能構成を示すブロック図である。
【００１４】
図１及び図２に示されるように、実施の形態１に係る照明システム１００は、照明装置１０と、窓装置２０と、センサ装置３０とを備える。照明システム１００は、天井４０、壁５０、及び、床６０によって囲まれた空間内の明るさを、所定の明るさに保つことができるシステムである。以下、照明システム１００が備える各構成要素について説明する。
【００１５】
［照明装置］
まず、照明装置１０について説明する。照明装置１０は、室内を照明するいわゆるアンビエント照明であり、例えば、天井４０に配置される。照明装置１０は、天井４０（天井面）及び壁５０（壁面）の少なくとも一方を照明する。照明装置１０は、床６０（床面）を照明してもよい。照明装置１０は、具体的には、センサ装置３０から受信した調光信号に応じた明るさで発光する。つまり、照明装置１０は、センサ装置３０によって調光制御される。
【００１６】
なお、照明装置１０の態様は、図１に示されるような平面視形状が円形のシーリングライトに限定されるものではなく、直管ＬＥＤランプを有するベースライトなどの長尺状の照明装置であってもよいし、ダウンライト等であってもよい。実施の形態１では、照明システム１００は、１つの照明装置１０を備えるが、複数の照明装置１０を備えてもよい。図２に示されるように、照明装置１０は、第一受信部１１と、調光回路１２と、発光部１３とを備える。
【００１７】
第一受信部１１は、センサ装置３０が備える送信部３３から調光信号を受信する。調光信号は、具体的には、ＰＷＭ（Ｐｕｌｓｅ  Ｗｉｄｔｈ  Ｍｏｄｕｌａｔｉｏｎ）信号であるが、その他の信号であってもよい。第一受信部１１は、例えば、通信回路（通信モジュール）であり、センサ装置３０が備える送信部３３から有線通信によって調光信号を受信する。なお、第一受信部１１は、無線通信により調光信号を受信してもよい。また、調光回路１２が調光信号を直接受信するような場合、第一受信部１１は、調光回路１２の一部として調光回路１２に含まれる。
【００１８】
調光回路１２は、第一受信部１１によって受信された調光信号に応じた電圧及び電流を発光部１３に供給する回路である。なお、調光回路１２に代えて、調光回路１２の機能がプロセッサまたはマイクロコンピュータによって実現されてもよい。
【００１９】
発光部１３は、調光回路１２から供給される電圧及び電流によって白色に発光する発光モジュールである。発光部１３は、具体的には、ＬＥＤ（Ｌｉｇｈｔ  Ｅｍｉｔｔｉｎｇ  Ｄｉｏｄｅ）を発光素子として備える。発光部１３は、ＬＥＤに代えて、蛍光管、半導体レーザ等の半導体発光素子、または、有機ＥＬ（Ｅｌｅｃｔｒｏ  Ｌｕｍｉｎｅｓｃｅｎｃｅ）もしくは無機ＥＬ等の固体発光素子を備えてもよい。
【００２０】
［窓装置］
窓装置２０は、壁５０に配置され、天井４０、壁５０、及び床６０によって囲まれた空間の外部から当該空間に光（可視光）を取り入れるための装置である。窓装置２０は、いわゆるスマートウィンドウであり、光の透過率の制御が可能である。図２に示されるように、窓装置２０は、第二受信部２１と、デバイス制御部２２と、光学デバイス２３と、第二記憶部２４とを備える。
【００２１】
第二受信部２１は、センサ装置３０が備える送信部３３から制御信号を受信する。第二受信部２１は、例えば、通信回路（通信モジュール）であり、センサ装置３０が備える送信部３３から有線通信によって制御信号を受信する。なお、第二受信部２１は、無線通信により制御信号を受信してもよい。また、デバイス制御部２２が制御信号を直接受信するような場合、第二受信部２１は、デバイス制御部２２の一部として、デバイス制御部２２に含まれる。
【００２２】
デバイス制御部２２は、光学デバイス２３に印加する電圧を制御することにより、光学デバイス２３の光の透過率を変更する。デバイス制御部２２は、具体的には、プロセッサ、マイクロコンピュータ、または専用回路などにより実現されるが、これらの組み合わせによって実現されてもよい。
【００２３】
光学デバイス２３は、窓枠、及び、窓枠に嵌めこまれた透光性を有する板材からなり、デバイス制御部２２によって印加される電圧に応じて光の透過率の変更が可能なデバイスである。光学デバイス２３を構成する上記板材は、２枚の透明の板と、２枚の透明の板の間に配置された２つの透明電極板と、２つの透明電極板の間に配置された液晶層とを有する。
【００２４】
デバイス制御部２２によって２つの透明電極板の間に電圧が印加されている間は、液晶層に含まれる液晶分子が整列するため、光学デバイス２３の光の透過率は向上する。一方で、デバイス制御部２２によって２つの電極層の間に電圧が印加されていない間は、液晶層に含まれる液晶分子が不規則に並ぶため、光学デバイス２３の光の透過率は低下する。なお、光学デバイス２３は、液晶層（液晶）に代えて、調光フィルム、エレクトロクロミック素子、またはＳＰＤ（Ｓｕｓｐｅｎｄｅｄ  Ｐａｒｔｉｃｌｅ  Ｄｅｖｉｃｅ）などが使用されたデバイスであってもよい。
【００２５】
第二記憶部２４は、デバイス制御部２２がプロセッサなどによって実現される場合に、デバイス制御部２２によって実行されるプログラムが記憶される記憶装置である。第二記憶部２４は、具体的には、半導体メモリなどによって実現される。
【００２６】
なお、光学デバイス２３が可視光帯域の屈折率を変更可能な屈折率可変材料を含むなどにより、光の配光角を制御できるデバイスである場合、窓装置２０は、光の配光角を制御してもよい。具体的には、窓装置２０が備えるデバイス制御部２２は、光学デバイス２３に印加する電圧を制御することにより、光学デバイス２３の配光角を変更してもよい。窓装置２０は、光の透過率及び光の配光角の少なくとも一方を制御できればよい。
【００２７】
［センサ装置］
次に、センサ装置３０について図１及び図２に加えて図３を参照しながら説明する。図３は、センサ装置３０の内部構造を示す図である。
【００２８】
センサ装置３０は、天井４０及び壁５０の少なくとも一方の明るさを検知し、検知された明るさに応じた調光信号を照明装置１０に送信することにより、照明装置１０を調光制御する装置である。センサ装置３０は、照明装置１０とは別体の装置であり、センサ装置３０自体は、照明機能を有しない。センサ装置３０は、例えば、天井４０に配置されるが、壁５０に配置されてもよい。センサ装置３０は、一部が天井４０及び壁５０のいずれかの構造物内に配置される（位置する）が、全部が構造物内に配置されてもよい。センサ装置３０は、天井４０及び壁５０のいずれかの構造物に外付けされてもよい。
【００２９】
図２及び図３に示されるように、センサ装置３０は、具体的には、検知部３１と、制御部３２と、送信部３３と、第一記憶部３８とを備える。なお、内部筐体３４と、外郭筐体３５と、光拡散材３６と、ケーブル３７とは、図３に図示されている。
【００３０】
検知部３１は、天井４０及び壁５０のいずれかの構造物に配置され、天井４０及び壁５０の少なくとも一方の明るさを検知する。検知部３１は、具体的には、光電変換素子３１ａと、フィルタ３１ｂとを有する。また、検知部３１は、受光面３１ｃを有する。
【００３１】
光電変換素子３１ａは、光電変換素子３１ａの受光面に入る光を電気信号に変換して出力する。光電変換素子３１ａは、例えば、フォトダイオードである。光電変換素子３１ａは、受光面が下方（床６０側）を向いた状態で、光電変換素子３１ａの一部が天井４０に埋め込まれるように配置される。光電変換素子３１ａの受光面（検知部３１の受光面３１ｃ）は、センサ装置３０が配置される天井４０及び壁５０のいずれかの構造物（検知対象の構造物）とは反対側に位置する。
【００３２】
フィルタ３１ｂは、光電変換素子３１ａの受光面を覆うフィルタである。フィルタ３１ｂは、光電変換素子３１ａの分光感度特性を人間の視感度に近づける、いわゆる視感度フィルタである。なお、フィルタ３１ｂは、必須ではなく、省略されてもよい。
【００３３】
制御部３２は、照明装置１０を、検知部３１によって検知された明るさに応じて調光するための調光信号を生成する。制御部３２は、具体的には、検知部３１によって検知された明るさと所定の明るさとを比較し、検知された明るさが所定の明るさよりも明るい場合には、照明装置１０を現在よりも暗く発光させる調光信号を生成する。制御部３２は、検知された明るさが所定の明るさよりも暗い場合には、照明装置１０を現在よりも明るく発光させる調光信号を生成する。これにより、検知部３１によって検知される明るさが所定の明るさに近づく制御が実現される。
【００３４】
また、制御部３２は、窓装置２０の透過率または配光角を制御するための制御信号を、検知部３１によって検知された明るさに基づいて生成してもよい。制御信号の生成は、上記調光信号の生成に代えて行われてもよいし、上記調光信号の生成に加えて行われてもよい。
【００３５】
この場合、制御部３２は、例えば、検知部３１によって検知された明るさが所定の明るさよりも明るい場合には、光学デバイス２３への電圧印加をオフする（透過率を低下させる）ための制御信号を生成する。また、制御部３２は、検知された明るさが所定の明るさよりも暗い場合には、光学デバイス２３への電圧印加をオンする（透過率を向上する）ための制御信号を生成する。これにより、照明装置１０をさらに明るく発光させずに、外光によって空間の明るさを所定の明るさに近づけることができる。つまり、外光を積極的に採光することにより消費電力の低減を実現することができる。
【００３６】
制御部３２は、具体的には、プロセッサ、マイクロコンピュータ、または専用回路などにより実現されるが、これらの組み合わせによって実現されてもよい。
【００３７】
送信部３３は、制御部３２によって生成された調光信号を照明装置１０に送信する。また、送信部３３は、制御部３２によって生成された制御信号を窓装置２０に送信する。送信部３３は、具体的には、通信回路（通信モジュール）であり、有線通信によって調光信号を送信する。なお、送信部３３は、無線通信により調光信号を送信してもよい。また、制御部３２が調光信号及び制御信号を照明装置に直接送信するような場合、送信部３３は、制御部３２の一部として、制御部３２に含まれる。
【００３８】
内部筐体３４は、制御部３２及び送信部３３を収容する筐体である。内部筐体３４は、例えば、有底円筒状である。内部筐体３４は、樹脂によって形成されてもよいし、金属によって形成されてもよい。
【００３９】
外郭筐体３５は、内部筐体３４を収容する筐体である。外郭筐体３５は、天井４０に埋め込まれ、内部に内部筐体３４が配置される小径部と、小径部よりも下方に位置し、小径部よりも径が大きい大径部とを含む。大径部は、天井４０よりも下方（つまり、空間内）に位置し、側面に複数の第一開口部３５ｂが配置される。第一開口部３５ｂは、少なくとも１つ配置されればよい。外郭筐体３５は、樹脂によって形成されてもよいし、金属によって形成されてもよい。外郭筐体３５の底板の部分は、カバー部材３５ａである。
【００４０】
カバー部材３５ａは、検知部３１の受光面３１ｃと対向配置される円板状の部材である。カバー部材３５ａは、光（可視光）の遮蔽部材であり、例えば、遮光性を有する材料または透光性を有しない材料により形成される。カバー部材３５ａは、天井４０との間に第一開口部３５ｂを形成する。
【００４１】
カバー部材３５ａは、検知部３１の検知範囲の一部を遮る。この結果、検知部３１の検知範囲は、図３に破線で示されるような検知範囲となる。そうすると、検知部３１は、天井４０とカバー部材３５ａとの間の第一開口部３５ｂから入る光を検知する。言い換えれば、検知部３１は、第一開口部３５ｂを通って受光面３１ｃに入る光の明るさを、天井４０及び壁５０の少なくとも一方の明るさとして検知することができる。検知範囲は、カバー部材３５ａの大きさによって調整することができる。
【００４２】
なお、検知部３１は、第一開口部３５ｂを通って直接検知部３１に入る光だけでなく、カバー部材３５ａの上面によって反射された光も検知する。特に、天井４０の明るさは、主として天井４０に当たった光がカバー部材３５ａの上面で反射されて検知部３１に入ることで検知される。そこで、カバー部材３５ａに当たる光を有効に利用するために、カバー部材３５ａの検知部３１の受光面３１ｃ（フィルタ３１ｂ）と対向する面に、光拡散材３６が配置されるとよい。
【００４３】
光拡散材３６は、第一開口部３５ｂを通って当該光拡散材３６に入った光を拡散する。光拡散材３６は、シート状の部材であってもよいし、塗料であってもよい。光拡散材３６は、具体的には、シリカや炭酸カルシウム等の光拡散材（微粒子）を含有する、樹脂または白色顔料などによって形成される。なお、光拡散材３６に代えて、カバー部材３５ａ自体が光拡散性を有してもよい。例えば、カバー部材３５ａの検知部３１と対向する面が光を拡散するための凹凸構造を有してもよい。
【００４４】
ケーブル３７は、送信部３３によって送信される調光信号及び制御信号を伝送するための信号線である。詳細については図示されないが、ケーブル３７の一端は、送信部３３に電気的に接続され、ケーブル３７の他端は、照明装置１０が備える第一受信部１１または窓装置２０が備える第二受信部２１に電気的に接続される。なお、図示されないが、センサ装置３０は、電力系統からセンサ装置３０に電力を供給するための電源線と、電源線から供給される交流電力をセンサ装置３０の動作に適した直流電力に変換する電源回路とを備えてもよい。
【００４５】
第一記憶部３８は、制御部３２がプロセッサなどによって実現される場合に、制御部３２によって実行されるプログラムが記憶される記憶装置である。第一記憶部３８は、具体的には、半導体メモリなどによって実現される。
【００４６】
［実施の形態１の効果等］
以上説明したセンサ装置３０は、天井４０及び壁５０のいずれかの構造物に配置される。センサ装置３０は、天井４０及び壁５０の少なくとも一方の明るさを検知する検知部３１と、天井４０及び壁５０の少なくとも一方を照明する照明装置１０を、検知された明るさに応じて調光するための調光信号を生成する制御部３２と、生成された調光信号を照明装置１０に送信する送信部３３とを備える。
【００４７】
これにより、センサ装置３０は、天井４０及び壁５０の少なくとも一方の明るさに応じて照明装置１０を調光することができる。つまり、センサ装置３０は、照明装置１０を床６０以外の明るさに基づいて調光することができる。
【００４８】
また、センサ装置３０は、検知部３１は、受光面３１ｃを有し、センサ装置３０は、さらに、受光面３１ｃと対向配置され、天井４０及び壁５０のいずれかの構造物との間に第一開口部３５ｂを形成するカバー部材３５ａを備えてもよい。検知部３１は、第一開口部３５ｂを通って検知部３１に入る光の明るさを、天井４０及び壁５０の少なくとも一方の明るさとして検知してもよい。
【００４９】
このようなカバー部材３５ａにより、検知部３１は、床６０の明るさを検知対象から除くことができる。つまり、検知部３１は、床６０の明るさ、並びに、天井４０及び壁５０の少なくとも一方の明るさのうち、天井４０及び壁５０の少なくとも一方の明るさを選択的に検知することができる。
【００５０】
また、カバー部材３５ａの受光面３１ｃと対向する面には、光拡散材３６が配置されていてもよい。
【００５１】
これにより、検知部３１は、光拡散材３６による光の拡散を利用して、天井４０及び壁５０の少なくとも一方の明るさを検知することができる。
【００５２】
また、制御部３２は、さらに、天井４０及び壁５０によって囲まれた空間の外部から当該空間に光を取り入れるための窓装置２０であって光の透過率の制御が可能な窓装置２０の、光の透過率を制御するための制御信号を、検知された明るさに基づいて生成してもよい。送信部３３は、さらに、生成された制御信号を窓装置２０に送信してもよい。
【００５３】
これにより、センサ装置３０は、天井４０及び壁５０の少なくとも一方の明るさに応じて窓装置２０の光の透過率を制御することができる。
【００５４】
また、制御部３２は、さらに、天井４０及び壁５０によって囲まれた空間の外部から当該空間に光を取り入れるための窓装置２０であって光の配光角の制御が可能な窓装置２０の、光の配光角を制御するための制御信号を、検知された明るさに基づいて生成してもよい。送信部３３は、さらに、生成された制御信号を窓装置２０に送信してもよい。
【００５５】
これにより、センサ装置３０は、天井４０及び壁５０の少なくとも一方の明るさに応じて窓装置２０の光の配光角を制御することができる。
【００５６】
［実施の形態１の変形例］
センサ装置３０においては、第一開口部３５ｂの大きさは固定であったが、センサ装置３０は、例えば、第一開口部３５ｂの大きさを調整するための調整機構を備えてもよい。図４及び図５は、第一開口部３５ｂの大きさを調整するための調整機構を上方から見た斜視図である。
【００５７】
図４及び図５に示される調整機構７０は、上述した外郭筐体３５の大径部に相当し、第一筐体７１、及び、第一筐体７１を外側から囲む第二筐体７２の二重構造を有する。第一筐体７１及び第二筐体７２は、いずれも有底円筒状であり、筒軸が一致するように配置されている。第一筐体７１及び第二筐体７２は、いずれも側面に複数の開口部が設けられている。第一筐体７１及び第二筐体７２のそれぞれにおいて、複数の開口部は、円周方向に並んで配置される。
【００５８】
第一筐体７１の側面に設けられた開口部と、第二筐体７２の側面に設けられた開口部とは、側方から見て重なるように配置されている。第一筐体７１の側面に設けられた開口部と、第二筐体７２の側面に設けられた開口部との重なりによって形成される第一開口部７３の大きさ（開口面積）は、第一筐体７１に対して第二筐体７２を筒軸回りに回動させることにより調整される。例えば、図４に示される状態で第二筐体７２を第一筐体７１に対して下方から見て時計回りに回動させると、図５に示されるように、第一開口部７３の大きさは小さくなる。
【００５９】
このように、センサ装置３０は、さらに、第一開口部３５ｂの開口面積を調整するための調整機構（例えば、調整機構７０）を備えてもよい。
【００６０】
これにより、センサ装置３０は、第一開口部３５ｂの大きさが変更されることにより、検知部３１の検知範囲（検知感度）を変更することができる。
【００６１】
なお、このような調整機構は、一例である。例えば、第一開口部３５ｂには、カメラの絞りのような機構が調整機構として配置されていてもよい。
【００６２】
（実施の形態２）
次に、実施の形態２に係るセンサ装置について説明する。図６は、実施の形態２に係るセンサ装置の内部構造を示す図である。
【００６３】
図６に示されるセンサ装置３０ａは、例えば、上述した照明システム１００においてセンサ装置３０の代わりに用いられる。以下、センサ装置３０ａについて、センサ装置３０との相違点を中心に説明する。
【００６４】
センサ装置３０ａが備えるカバー部材３５ａには、貫通孔が設けられ、当該貫通孔は、透過率を調整可能な光学部材３９で塞がれている。貫通孔は、具体的には、カバー部材３５ａのうち検知部３１の受光面３１ｃと対向する部分に設けられる。光学部材３９は、調光フィルム、エレクトロクロミック素子、またはＳＰＤなどである。光学部材３９は、電圧の印加等の制御によって光の透過率が変化する部材であればよい。光学部材３９への電圧の印加は、例えば、制御部３２によって行われるが、他の制御部（制御回路）等によって行われてもよい。
【００６５】
例えば、ユーザがリモートコントローラを通じて制御部３２に電圧印加指示を行うような構成が考えられる。この場合、センサ装置３０ａは、リモートコントローラの赤外線信号を受信するための受光部（図示せず）を備える。
【００６６】
このような構成により、センサ装置３０ａは、光学部材３９の光の透過率が低いときには、天井４０及び壁５０の少なくとも一方の明るさを主な検知対象とすることができ、光学部材３９の光の透過率が高いときには、床６０（床面）または机上面などの明るさを検知部３１の検知対象に含めることができる。
【００６７】
なお、光学部材３９と同様の機能を得るために、カバー部材３５ａには、開口面積が調整可能な第二開口部が設けられてもよい。つまり、センサ装置３０ａは、さらに、カバー部材３５ａに設けられた第二開口部の開口面積を調整するための調整機構を備えてもよい。図７及び図８は、カバー部材３５ａに設けられた第二開口部の開口面積を調整するための調整機構を下方から見た斜視図である。
【００６８】
図７及び図８に示される調整機構８０は、上述した外郭筐体３５の大径部に相当し、第一筐体８１、及び、第一筐体８１を外側から囲む第二筐体８２の二重構造を有する。第一筐体８１及び第二筐体８２は、いずれも有底円筒状であり、筒軸が一致するように配置されている。第一筐体８１及び第二筐体８２は、いずれもカバー部材３５ａに相当する底面に略扇形の開口部が３つ設けられている。第一筐体８１及び第二筐体８２のそれぞれにおいて、３つの略扇形の開口部は、円周方向に並んで配置される。
【００６９】
第一筐体８１の底面に設けられた開口部と、第二筐体８２の底面に設けられた開口部とは、下方から見て重なるように配置されている。第一筐体８１の底面に設けられた開口部と、第二筐体８２の底面に設けられた開口部との重なりによって形成される第二開口部８３の開口面積は、第一筐体８１に対して第二筐体８２を筒軸回りに回動させることにより調整される。例えば、図７に示される状態で第二筐体８２を第一筐体８１に対して下方から見て時計回りに回動させると、図８に示されるように、第二開口部８３の開口面積は小さくなる。図７及び図８の例では、第二開口部８３は複数配置されているが、少なくとも１つ配置されればよい。
【００７０】
なお、このような調整機構は、一例である。カバー部材３５ａには、カメラの絞りのような調整機構を有する第二開口部が設けられてもよい。
【００７１】
［実施の形態２の効果等］
以上説明したように、カバー部材３５ａには、貫通孔が設けられ、当該貫通孔は、光の透過率を調整可能な光学部材３９で塞がれていてもよい。
【００７２】
これにより、センサ装置３０ａは、光学部材３９の光の透過率が低いときには、天井４０及び壁５０の少なくとも一方の明るさを主な検知対象とすることができる。センサ装置３０ａは、光学部材３９の光の透過率が高いときには、床６０（床面）または机上面などの明るさを検知部３１の検知対象に含めることができる。
【００７３】
また、カバー部材３５ａには、第二開口部が設けられ、センサ装置３０ａは、さらに、当該第二開口部の開口面積を調整するための調整機構（例えば、調整機構８０）を備えてもよい。
【００７４】
これにより、センサ装置３０ａは、第二開口部の開口面積が小さいときには、天井４０及び壁５０の少なくとも一方の明るさを主な検知対象とすることができる。センサ装置３０ａは、第二開口部の開口面積が大きいときには、床６０（床面）または机上面などの明るさを検知部３１の検知対象に含めることができる。
【００７５】
（実施の形態３）
上記実施の形態１及び２では、検知部３１（光電変換素子３１ａ）とカバー部材３５ａ（外郭筐体３５）の組み合わせにより、検知部３１が天井４０及び壁５０の少なくとも一方の明るさを検知した。しかしながら、検知部３１が天井４０及び壁５０の少なくとも一方の明るさを検知する構成（センサ装置３０またはセンサ装置３０ａの構成）は、上記実施の形態１及び２に限定されない。
【００７６】
例えば、検知部３１及びカバー部材３５ａのそれぞれは、上記実施の形態１及び２と異なる形状であってもよい。また、検知部３１及びカバー部材３５ａの配置は、実施の形態１及び２と異なってもよい。
【００７７】
以下、上記実施の形態１及び２とは異なる、検知部３１が天井４０及び壁５０の少なくとも一方の明るさを検知する実施例について説明する。
【００７８】
まず、第一実施例について説明する。図９は、実施の形態３の第一実施例を説明するための斜視図である。図１０は、実施の形態３の第一実施例を説明するための断面図である。なお、以下の実施の形態３の図面においては、天井４０に配置されるセンサ装置のうち、検知部及びカバー部材（外郭筐体）の配置のみが模式的に図示される。
【００７９】
図９及び図１０に示されるように、第一実施例では、円板状の検知部９０であって、受光面９０ａが上方（天井４０側）を向いた状態の検知部９０が、円錐状のカバー部材９１内に配置される。カバー部材９１（カバー部材９１の縁部）は、検知部９０（受光面９０ａ）の検知範囲の一部を遮る。検知部９０の受光面９０ａと反対側の面は、カバー部材９１と対向する。
【００８０】
図１０に示されるように、天井４０とカバー部材９１との間には、第一開口部９１ａが形成される。第一実施例において、検知部９０は、第一開口部９１ａを通って受光面９０ａに入る光の明るさを、天井４０及び壁５０（図９及び図１０で図示せず）の少なくとも一方の明るさとして検知する。
【００８１】
次に、第二実施例について説明する。図１１は、実施の形態３の第二実施例を説明するための分解斜視図である。図１２は、実施の形態３の第二実施例を説明するための断面図である。
【００８２】
図１１及び図１２に示されるように、第二実施例では、円板状の検知部９０は、天井４０に取り付けられた円錐台形状の台座９２の下面に、受光面９０ａが下方（床６０側）を向いた状態で配置される。つまり、検知部９０の受光面９０ａは、天井４０（検知対象の構造物）とは反対側を向いている。そして、受光面９０ａは、下方から円錐状のカバー部材９１に覆われる。言い換えれば、カバー部材９１は、受光面９０ａに対向配置され、検知部９０（受光面９０ａ）の検知範囲の一部を遮る。
【００８３】
図１２に示されるように、天井４０とカバー部材９１との間には、第一開口部９１ａが形成される。第二実施例において、検知部９０は、第一開口部９１ａを通って受光面９０ａに入る光の明るさを、天井４０及び壁５０（図１１及び図１２で図示せず）の少なくとも一方の明るさとして検知する。
【００８４】
次に、第三実施例について説明する。図１３は、実施の形態３の第三実施例を説明するための分解斜視図である。図１４は、実施の形態３の第三実施例を説明するための断面図である。
【００８５】
図１３及び図１４に示されるように、第三実施例では、天井４０に取り付けられた四角錐台状の台座９５が、四角錐状のカバー部材９４によって下方から覆われる。台座９５とカバー部材９４との間には隙間が設けられ、隙間には、平面視形状が台形の検知部９３がはめ込まれる。検知部９３は、四角錐状のカバー部材９４の各辺に対応して４つはめ込まれる。４つの検知部９３は、受光面９３ａが外側を向くように、略四角錘台状に配置される。４つの検知部９３の各受光面９３ａは、天井４０側を向いている。カバー部材９４は、４つの検知部９３（４つの受光面９３ａ）のそれぞれの検知範囲の一部を遮る。
【００８６】
また、天井４０とカバー部材９４との間には、第一開口部９４ａが形成される。
【００８７】
第三実施例において、検知部９３は、第一開口部９４ａを通って受光面９３ａに入る光の明るさを、天井４０及び壁５０（図１３及び図１４で図示せず）の少なくとも一方の明るさとして検知する。
【００８８】
次に、第四実施例について説明する。図１５は、実施の形態３の第四実施例を説明するための分解斜視図である。図１６は、実施の形態３の第四実施例を説明するための断面図である。
【００８９】
図１５及び図１６に示されるように、第四実施例では、天井４０に取り付けられた四角錐台状の台座９７が、四角錐状のカバー部材９４によって下方から覆われる。台座９７とカバー部材９４との間には隙間が設けられ、隙間には、平面視形状が矩形の検知部９６がはめ込まれる。検知部９６は、四角錐状のカバー部材９４の各辺に対応して４つはめ込まれる。４つの検知部９６は、筒軸が上下方向（鉛直方向）に沿う角筒状に配置される。４つの検知部９６のそれぞれは、受光面９６ａが外側（側方、壁５０側）を向くように配置される。受光面９６ａは、カバー部材９４と対向配置される。言い換えれば、カバー部材９４は、４つの受光面９６ａのそれぞれと対向配置され、４つの検知部（４つの受光面９６ａ）のそれぞれの検知範囲の一部を遮る。また、天井４０とカバー部材９４との間には、第一開口部９４ａが形成される。
【００９０】
第四実施例において、検知部９６は、第一開口部９４ａを通って受光面９６ａに入る光の明るさを、天井４０及び壁５０（図１５及び図１６で図示せず）の少なくとも一方の明るさとして検知する。
【００９１】
以上説明した第一実施例〜第四実施例によっても、検知部は、床６０（床面）の明るさを検知対象から除くことができる。つまり、検知部は、床６０の明るさ、並びに、天井４０及び壁５０の少なくとも一方の明るさのうち、天井４０及び壁５０の少なくとも一方の明るさを選択的に検知することができる。
【００９２】
なお、第一実施例〜第四実施例は、上記実施の形態１または上記実施の形態２で説明された構成要素と組み合わされてもよい。例えば、第二実施例は、実施の形態１の調整機構７０及び実施の形態２の調整機構８０と組み合わされてもよい。図１７は、第二実施例と調整機構７０及び調整機構８０との組み合わせを説明するための図である。
【００９３】
図１７に示される構成の、第二実施例との違いは、カバー部材９１の頂部に第二開口部９１ｂが設けられていることである。ここで、頂部に設けられた第二開口部９１ｂには、調整機構８０のように、開口面積を調整できる機構が適用可能である。一方、台座９５とカバー部材９４との間の第一開口部９１ａには、調整機構７０のように、開口面積を調整できる機構が適用可能である。
【００９４】
（その他の実施の形態）
以上、実施の形態に係る照明システム、及び、センサ装置について説明したが、本発明は、上記実施の形態に限定されるものではない。
【００９５】
例えば、上記実施の形態における第一開口部及び第二開口部は、間隙（空隙）を有する開口部であるが、間隙が透光性を有する材料で塞がれた開口部であってもよい。第一開口部及び第二開口部は、採光可能な開口部（採光口）であればよい。
【００９６】
上記実施の形態で説明した装置間の通信方法は、一例である。装置間の通信方法については特に限定されるものではない。装置間において無線通信が行われる場合、例えば、特定小電力無線、ＺｉｇＢｅｅ（登録商標）、Ｂｌｕｅｔｏｏｔｈ（登録商標）、または、Ｗｉ−Ｆｉ（登録商標）などの通信規格を用いた無線通信が行われる。また、装置間において、有線通信が行われる場合、電力線搬送通信（ＰＬＣ：Ｐｏｗｅｒ  Ｌｉｎｅ  Ｃｏｍｍｕｎｉｃａｔｉｏｎ）または有線ＬＡＮなどの通信規格を用いた有線通信が行われる。
【００９７】
その他、各実施の形態に対して当業者が思いつく各種変形を施して得られる形態、または、本発明の趣旨を逸脱しない範囲で各実施の形態における構成要素及び機能を任意に組み合わせることで実現される形態も本発明に含まれる。
【符号の説明】
【００９８】
１０  照明装置
２０  窓装置
３０、３０ａ  センサ装置
３１、９０、９３、９６  検知部
３１ｃ、９０ａ、９３ａ、９６ａ  受光面
３２  制御部
３３  送信部
３５ａ、９１、９４  カバー部材
３５ｂ、７３、９１ａ、９４ａ  第一開口部
３６  光拡散材
３９  光学部材
４０  天井
５０  壁
７０、８０  調整機構
８３、９１ｂ  第二開口部
１００  照明システム
【図１】
0006617993.tif 000002
【図２】
0006617993.tif 000003
【図３】
0006617993.tif 000004
【図４】
0006617993.tif 000005
【図５】
0006617993.tif 000006
【図６】
0006617993.tif 000007
【図７】
0006617993.tif 000008
【図８】
0006617993.tif 000009
【図９】
0006617993.tif 000010
【図１０】
0006617993.tif 000011
【図１１】
0006617993.tif 000012
【図１２】
0006617993.tif 000013
【図１３】
0006617993.tif 000014
【図１４】
0006617993.tif 000015
【図１５】
0006617993.tif 000016
【図１６】
0006617993.tif 000017
【図１７】
0006617993.tif 000018